(57)【要約】      （修正有）【課題】主として、ハウス、建屋等に設ける天窓等の、防虫ネット、フイルムでなる被覆物用のスプリングフレームを提供する。【解決手段】天窓Ａの開口側框の第１レール１０と、窓枠の開口側枠の第２レール１１との間に差込み支持する第１支持輪１ｂと第２支持輪１ｃを備えたスプリングフレーム１であって、前記第１支持輪と前記第２支持輪は、前記スプリングフレームの本体の両自由端に備える。【選択図】図５
0003222092.tif 000002
【実用新案登録請求の範囲】
【請求項１】
天窓の開口側框の第１レールと、窓枠の開口側枠の第２レールとの間に差込み支持する第１支持輪と第２支持輪を備えたスプリングフレームであって、
前記第１支持輪と前記第２支持輪は、前記スプリングフレームの本体の両自由端に備え、
前記本体は、前記天窓を、前記窓枠に閉塞した際に、前記天窓外に突出したことを特徴とする天窓と窓枠に設ける防虫ネット、フイルムでなる被覆物用のスプリングフレーム。
【請求項２】
前記本体が、前記天窓外に突出した際に、この本体は、前記天窓の開口側框の長手方向（Ｘ１）に向かって偏平形態になることを特徴とする請求項１に記載の天窓と窓枠に設ける防虫ネット、フイルムでなる被覆物用のスプリングフレーム。
【請求項３】
天窓の開口側框の第１レールと、窓枠の開口側枠の第２レールとの間に差込み支持するスプリングフレームであって、
このスプリングフレームの前記本体は、両自由端に前記第１支持輪と前記第２支持輪を備え、
この第１支持輪は、前記第１レールに弾圧係止され、
また、前記第２支持輪は、前記第２レールに弾圧係止され、
前記第１支持輪を差込み支持する前記開口側框の第１箇所と、前記第２支持輪を差込み支持する前記開口側枠の第２箇所は、この開口側框の前記長手方向（Ｘ１）、及びこの開口側枠の長手方向（Ｘ２）における位置が異なり、
前記スプリングフレームは、前記天窓を、前記窓枠に閉塞した際に、前記天窓外に突出することを特徴とする請求項１に記載の天窓と窓枠に設ける防虫ネット、フイルムでなる被覆物用のスプリングフレーム。
【請求項４】
前記第１支持輪を差込み支持する前記開口側框の第１箇所と、前記第２支持輪を差込み支持する前記開口側枠の第２箇所は、この開口側框とこの開口側枠の前記長手方向（Ｘ１・Ｘ２）における位置が異なる構成であって、
この異なる構成により、前記本体は、前記天窓の閉塞時に、長手方向（Ｘ３）に偏平形態となることを特徴とする構成とした請求項１又は請求項３に記載の防虫ネット、フイルムでなる被覆物用のスプリングフレーム。
【請求項５】
前記第１支持輪は、偏平輪形であって、前記本体の前記長手方向（Ｘ３）に対し、直交し、かつこの直交は、この本体の下側を潜る構成としたことを特徴とする請求項１又は請求項３に記載の天窓と窓枠に設ける防虫ネット、フイルムでなる被覆物用のスプリングフレーム。
【請求項６】
前記第２支持輪は、偏平輪形であって、前記本体の前記長手方向（Ｘ３）に対し、直交し、かつこの直交は、この本体の上側を跨ぐ構成としたことを特徴とする請求項１又は請求項３に記載の天窓と窓枠に設ける防虫ネット、フイルムでなる被覆物用のスプリングフレーム。
【考案の詳細な説明】
【技術分野】
【０００１】
本考案は、主として、ハウス、建屋等に設ける天窓等の、防虫ネット、フイルムでなる被覆物用のスプリングフレームに関する。
【背景技術】
【０００２】
天窓を隠蔽する防虫ネットは、天窓の閉塞時において、この天窓内に収容されると、防虫ネットに付着している水分が、ハウス内の作物に落下した際は、悪影響を与えること、及び／又は、雨漏りと同様な問題がある。その解決策として、防虫ネットを天窓の枠外に収容できる構成が、各種提案されている。
【０００３】
例えば、特開２０１６−２２０６６６号公報に記載の発明では、ネット侵入防止具は、上端が窓枠の開口側框の防虫ネットよりもビニールハウス内側に取り付けられ、取付枠の開口側桟に対向する侵入防止部を備え、侵入防止部は、窓が閉じられるとビニールハウス内に収容され、かつ防虫ネットのビニールハウス内への侵入防止が図られる。しかし、この発明は、防虫ネットが、開口側棧に折り畳み収容されることで、水分落下、及び／又は、雨漏り等が考えられ、改良の余地がある。
【０００４】
また、特開２００６−２７１２４５号公報の発明では、天窓と略平行に、防虫網の張力に対し弾性変形可能なフレームを備え、フレームの基端は天窓の開閉端部に固定され、その自由端は、防虫網の中間に達する構成であって、防虫網の中間を、フレームの自由端で支持する構成とし、フレームは、天窓のそれぞれの開口時に、この天窓の開口度合いに応じて防虫網の張力により弾性変性し、防虫網を弛みなく張った状態で支持される。しかし、当該発明は、前記発明と同様な改善の必要が挙げられる。また、防虫網全体をフレームで支持する構成でなく、安定性に欠けることが考えられる。
【特許文献１】特開２０１６−２２０６６６号公報
【特許文献２】特開２００６−２７１２４５号公報
【考案の概要】
【考案が解決しようとする課題】
【０００５】
前述した水分落下、及び／又は、雨漏り等が改善されたとは考えられないことと、併せて、従来の問題を無くすためには、今までの考えを払拭し、かつ新たな工夫と考えを提案することが不可欠である。
【０００６】
本考案では、その為の手段として、好ましい、それぞれの各例を、改善案として提案する。
【課題を解決するための手段】
【０００７】
このそれぞれの各例とは、本考案で示した、請求項１−６である。
【考案の効果】
【０００８】
請求項１においては、
天窓の開口側框の第１レールと、窓枠の開口側枠の第２レールとの間に差込み支持する第１支持輪と第２支持輪を備えたスプリングフレームであって、
第１支持輪と第２支持輪は、スプリングフレームの本体の両自由端に備え、
本体は、天窓を、窓枠に閉塞した際に、天窓外に突出したことを特徴とする天窓と窓枠に設ける防虫ネット、フイルムでなる被覆物用のスプリングフレームがよい。
【０００９】
これによって、例えば、水分落下、及び／又は、雨漏り等が改善されて、かつ作物への悪影響、例えば、果実、又は葉面への弊害（例えば、カビ等の発生）回避に有効であり、併せて、従来の問題を無くし得る。また、作物の生育と品質の安定した栽培環境を確保できる。
【００１０】
請求項２においては、本体が、天窓外に突出した際に、本体は、天窓の開口側框の長手方向Ｘ１に向かって偏平形態になることを特徴とする、請求項１に記載の天窓と窓枠に設ける防虫ネット、フイルムでなる被覆物用のスプリングフレームがよい。
【００１１】
これにより、請求項１の目的達成と、その為の最適な、スプリングフレームの本体の構成を提供できる。
【００１２】
請求項３においては、天窓の開口側框の第１レールと、窓枠の開口側枠の第２レールとの間に差込み支持するスプリングフレームであって、
スプリングフレームの本体は、両自由端に第１支持輪と第２支持輪を備え、
第１支持輪は、第１レールに弾圧係止され、
また、第２支持輪は、第２レールに弾圧係止され、
第１支持輪を差込み支持する開口側框の第１箇所と、第２支持輪を差込み支持する開口側枠の第２箇所は、開口側框の長手方向Ｘ１、及び開口側枠の長手方向Ｘ２における位置が異なり、
スプリングフレームは、天窓を、窓枠に閉塞した際に、天窓外に突出することを特徴とする請求項１に記載の天窓と窓枠に設ける防虫ネット、フイルムでなる被覆物用のスプリングフレームがよい。
【００１３】
これにより、請求項１の目的達成と同じになり、有効、かつ有益な考案である。
【００１４】
請求項４においては、第１支持輪を差込み支持する開口側框の第１箇所と、第２支持輪を差込み支持する開口側枠の第２箇所は、開口側框の長手方向Ｘ１と、開口側枠の長手方向Ｘ２における位置が異なる構成であって、
異なる構成により、本体は、天窓の閉塞時に、長手方向Ｘ３に偏平形態となることを特徴とする構成とした請求項１又は請求項３に記載の防虫ネット、フイルムでなる被覆物用のスプリングフレームがよい。
【００１５】
これにより、請求項１の目的達成と、その為の最適な、スプリングフレームの本体の偏平形態（第１支持輪、及び／又は、第２支持輪）の構成を提供できる。
【００１６】
請求項５においては、第１支持輪は、偏平輪形であって、本体の長手方向Ｘ３に対し、直交し、かつ直交は、本体の下側を潜る構成としたことを特徴とする請求項１又は請求項３に記載の天窓と窓枠に設ける防虫ネット、フイルムでなる被覆物用のスプリングフレームがよい。
【００１７】
これにより、請求項１の目的達成と、その為の最適な、第１支持輪と本体の関係を確保でき、かつその構成を提供できる。
【００１８】
請求項６においては、第２支持輪は、偏平輪形であって、本体の長手方向Ｘ３に対し、直交し、かつ直交は、本体の上側を跨ぐ構成としたことを特徴とする請求項１又は請求項３に記載の天窓と窓枠に設ける防虫ネット、フイルムでなる被覆物用のスプリングフレームがよい。
【００１９】
これにより、請求項１の目的達成と、その為の最適な、第２支持輪と本体の関係を確保でき、かつその構成を提供できる。
【図面の簡単な説明】
【００２０】
【図１】建物の天窓（窓を含む）を開放した状態の斜視図
【図２】図１の概念図
【図３】図１の状態より天窓を閉塞した状態の斜視図
【図４】図３の概念図
【図５】（イ）は図２と図４のスプリングフレームの動きを連動して示した説明図、（ロ）は天窓に取付け前のスプリングフレームの斜視図
【図６】（イ）、（ロ）はスプリングフレームの一部省略の拡大展開図
【図７】図６に示したスプリングフレームの第１支持輪を拡大して示した平面図
【図８】図６に示したスプリングフレームの第２支持輪を拡大して示した平面図
【図９】（イ）〜（ハ）は天窓の開口側框の第１レールに第１支持輪を取付ける状態の俯瞰図
【図１０】（イ）〜（ハ）は窓枠の開口側枠の第２レールに第２支持輪を取付ける状態の俯瞰図
【図１１】ハウスの棟の複数の天窓に複数本のスプリングフレームを取付けた一例を示した俯瞰図
【考案を実施するための形態】
【００２１】
図６（イ）、（ロ）〜図８において、１は弾性体（一本素材、又は巻上げ素材「ワイヤ」でなるスプリング材）でなるスプリングフレームであり、このスプリングフレーム１は、一方端に扁平輪形でなる第１支持輪１ｂを、他方端に扁平輪形でなる第２支持輪１ｃを有する。第１支持輪１ｂは、本体１ａに繋がり、かつ図７に示すように、第１支持輪１ｂの扁平輪形は、本体１ａの下側を潜るように、本体１ａの長手方向Ｘ３と直交する。そして、扁平輪形は、本体１ａを基準として、好ましくは、左右対称の位置関係となっている。また、扁平輪形は、弾性を備えており、かつ素材の弾性と併せて、ダブルの弾力があり、後述する第１レール１０にセットされ、かつこの第１レール１０内をスライド可能とする。また、第２支持輪１ｃは、本体１ａに繋がり、かつ図８に示すように、第２支持輪１ｃの扁平輪形は、本体１ａの上側を跨ぐように、本体１ａの長手方向Ｘ３と直交する。そして、扁平輪形は、本体１ａを基準として、好ましくは、左右対称の位置関係となっている。また、扁平輪形は、弾性を備えており、かつ素材の弾性と併せて、ダブルの弾力があり、後述する第２レール１１にセットされ、かつ第２レール１１内をスライド可能とする。
【００２２】
図９（イ）〜（ハ）と図１０（イ）〜（ハ）は、第１レール１０と第２レール１１に、第１支持輪１ｂと第２支持輪１ｃを差込み、かつ支持する一例であり、図９において、（イ）の第１支持輪１ｂの開放側の自由端１ｂ１を、例えば、指先で狭める。この狭めた状態で、（ロ）の第１レール１０に差込み、続いて、狭める所作を停止する。この停止で、第１支持輪１ｂが復帰し、（ハ）の第１レール１０に固定（支持）される。このようにして、第１支持輪１ｂが支持された後に、次は、第２支持輪１ｃの支持に至るが、原則として、図１０において、（イ）の第２支持輪１ｃの開放側の自由端１ｃ１を、例えば、指先で狭める。この狭めた状態で、（ロ）の第２レール１１に差込み、続いて、狭める所作を停止する。この停止で、第２支持輪１ｃが復帰し、（ハ）の第２レール１１に固定（支持）される。
【００２３】
尚、図２〜図４等に示したように、第１支持輪１ｂが支持された第１箇所１ｂｂと、第２支持輪１ｃが支持された第２箇所１ｃｃは、天窓Ａの開口側框Ａ１の長手方向Ｘ１と、窓枠Ｂの開口側枠Ｂ１の長手方向Ｘ２（図４に示した）における位置が異なり、例えば、図４、又は図５（イ）の如く、本体１ａは、偏平形態に、長手方向Ｘ１、又はＸ２に寝るよう（傾き、かつアーチが扁平になる状態で）に折り畳まれる。また、後述するが防虫ネット１２の折り畳み時（天窓Ａの折り畳み時）に、同期するようにスムースに収納かつ折り畳まれる。
【００２４】
図１〜図４において、図中Ａ２、Ａ３は、天窓Ａの左右側框、Ａ４は、天窓Ａの取付側框を示す。また、同図において、Ｂ２、Ｂ３は、窓枠Ｂの左右側枠、Ｂ４は、窓枠Ｂの取付側枠を示す。
【００２５】
そして、この図１〜図４において、防虫ネット１２は、天窓Ａの三方向（左右側框Ａ２、Ａ３、及び左右側枠Ｂ２、Ｂ３の左右空間Ｃ１・Ｃ２と、開口側框Ａ１、及び開口側枠Ｂ１の開口側空間Ｄ）を囲繞する構成と、又は天窓Ａの開口方向（開口側框Ａ１、及び開口側枠Ｂ１の開口側空間Ｄ）に張装する構成と、が考えられる。そして、前述したように、天窓Ａを閉塞し、防虫ネット１２を折り畳んだ、図４においては、同図の如く、スプリングフレーム１の本体１ａは偏平形態になって、防虫ネット１２の折り畳みに合致する（同期する）ことが特徴である。
【００２６】
この天窓Ａ、及び／又は、窓枠Ｂに、スプリングフレーム１、及び／又は、防虫ネット１２を取付ける方法に関して、好ましい、一例を説明すると、図９・図１０（イ）〜（ハ）の如く、第１レール１０と第２レール１１に、第１支持輪１ｂと第２支持輪１ｃをそれぞれ差込み支持する。このスプリングフレーム１を支持する第１箇所１ｂｂと第２箇所１ｃｃは、前述のように、長手方向Ｘ１・Ｘ２における支持する位置が異なり、図４、又は図５（イ）の如く、スプリングフレーム１は、防虫ネット１２と同様に偏平形態に折り畳まれる。よって、スプリングフレーム１は、防虫ネット１２の折り畳み時に、同期するようにスムースに、防虫ネット１２の内側に収納、かつ添設するように折り畳まれる（図５（イ）の破線参照）。この折畳みは、天窓Ａの開放時に、図２において、開口側Ｙより視てアーチ形のスプリングフレーム１が、図５（イ）の如く、偏平形態に変化し、望ましくは、防虫ネット１２と同じように折り畳まれる（天窓Ａは閉塞される）。従って、この閉塞状態では、スプリングフレーム１の収納には、違和感がなく、かつ防虫ネット１２との一体感がある。この状態では、防虫ネット１２、及び／又はスプリングフレーム１は、共に窓枠Ｂの外側であり、水分の落下等による弊害回避とか、そのほか、例えば、ハウス、建物等内の湿度の変化に悪影響を与えることがない等の特徴がある。また、図５（イ）の閉塞状態（破線の状態）から、開放状態（実線状態）に戻すには、天窓Ａを開放方向に操作することで（自動、又は手動等）、スプリンクフレーム１は倒れた（偏平形態で、かつ倒れた）状態から、順次、立ち上り（起き上がり）、かつ開放状態に復帰していく過程で（図５（イ）の中間）、このスプリンクフレーム１は、同図のように、開口側框Ａ１が上側方向に、開口側枠Ｂ１が下側方向に位置する立ち上り状態である。その後、天窓Ａを開放した過程では、実線の如く、開口側框Ａ１が上側に、開口側枠Ｂ１が下側に位置する立ち上りである。
【００２７】
前述した各構造・特徴等は、本考案の好ましい一例の説明である。従って、本考案は上述した各実施例に限定されるものではなく、本考案の趣旨の範囲において構成の一部を変更する構造とか、同じ特徴と効果を達成できる構造等は、本考案の範疇である。
【符号の説明】
【００２８】
１  スプリングフレーム
１ａ  本体
１ｂ  第１支持輪
１ｂ１  自由端
１ｂｂ  第１箇所
１ｃ  第２支持輪
１ｃ１  自由端
１ｃｃ  第２箇所
１０  第１レール
１１  第２レール
１２  防虫ネット
Ａ  天窓
Ａ１  開口側框
Ａ２  左側框
Ａ３  右側框
Ａ４  取付側框
Ｂ  窓枠
Ｂ１  開口側枠
Ｂ２  左側枠
Ｂ３  右側枠
Ｂ４  取付側枠
Ｃ１  左空間
Ｃ２  右空間
Ｄ  開口側空間
Ｘ１  開口側框の長手方向
Ｘ２  開口側枠の長手方向
Ｘ３  本体の長手方向
Ｙ  開口側
【図１】
0003222092.tif 000003
【図２】
0003222092.tif 000004
【図３】
0003222092.tif 000005
【図４】
0003222092.tif 000006
【図５】
0003222092.tif 000007
【図６】
0003222092.tif 000008
【図７】
0003222092.tif 000009
【図８】
0003222092.tif 000010
【図９】
0003222092.tif 000011
【図１０】
0003222092.tif 000012
【図１１】
0003222092.tif 000013
【手続補正書】
【提出日】令和1年5月8日(2019.5.8)
【手続補正１】
【補正対象書類名】実用新案登録請求の範囲
【補正対象項目名】全文
【補正方法】変更
【補正の内容】
【実用新案登録請求の範囲】
【請求項１】
天窓の開口側框の第１レールと、窓枠の開口側枠の第２レールとの間に差込み支持する第１支持輪と第２支持輪を備えたスプリングフレームであって、
前記第１支持輪と前記第２支持輪は、前記スプリングフレームの本体の両自由端に備え、
前記本体は、前記天窓を、前記窓枠に閉塞した際に、前記天窓外に突出したことを特徴とする天窓と窓枠に設ける防虫ネット又はフイルムでなる被覆物用のスプリングフレーム。
【請求項２】
前記本体が、前記天窓外に突出した際に、この本体は、前記天窓の開口側框の長手方向（Ｘ１）に向かって偏平形態になることを特徴とする請求項１に記載の天窓と窓枠に設ける防虫ネット又はフイルムでなる被覆物用のスプリングフレーム。
【請求項３】
天窓の開口側框の第１レールと、窓枠の開口側枠の第２レールとの間に差込み支持するスプリングフレームであって、
このスプリングフレームの前記本体は、両自由端に前記第１支持輪と前記第２支持輪を備え、
この第１支持輪は、前記第１レールに弾圧係止され、
また、前記第２支持輪は、前記第２レールに弾圧係止され、
前記第１支持輪を差込み支持する前記開口側框の第１箇所と、前記第２支持輪を差込み支持する前記開口側枠の第２箇所は、この開口側框の前記長手方向（Ｘ１）、及びこの開口側枠の長手方向（Ｘ２）における位置が異なり、
前記スプリングフレームは、前記天窓を、前記窓枠に閉塞した際に、前記天窓外に突出することを特徴とする請求項１に記載の天窓と窓枠に設ける防虫ネット又はフイルムでなる被覆物用のスプリングフレーム。
【請求項４】
前記第１支持輪を差込み支持する前記開口側框の第１箇所と、前記第２支持輪を差込み支持する前記開口側枠の第２箇所は、この開口側框とこの開口側枠の前記長手方向（Ｘ１・Ｘ２）における位置が異なる構成であって、
この異なる構成により、前記本体は、前記天窓の閉塞時に、長手方向（Ｘ３）に偏平形態となることを特徴とする構成とした請求項１又は請求項３に記載の防虫ネット又はフイルムでなる被覆物用のスプリングフレーム。
【請求項５】
前記第１支持輪は、偏平輪形であって、前記本体の前記長手方向（Ｘ３）に対し、直交し、かつこの直交は、この本体の下側を潜る構成としたことを特徴とする請求項１又は請求項３に記載の天窓と窓枠に設ける防虫ネット又はフイルムでなる被覆物用のスプリングフレーム。
【請求項６】
前記第２支持輪は、偏平輪形であって、前記本体の前記長手方向（Ｘ３）に対し、直交し、かつこの直交は、この本体の上側を跨ぐ構成としたことを特徴とする請求項１又は請求項３に記載の天窓と窓枠に設ける防虫ネット又はフイルムでなる被覆物用のスプリングフレーム。
【手続補正３】
【補正対象書類名】明細書
【補正対象項目名】０００１
【補正方法】変更
【補正の内容】
【０００１】
本考案は、主として、ハウス、建屋等に設ける天窓等の、防虫ネット又はフイルムでなる被覆物用のスプリングフレームに関する。
【手続補正４】
【補正対象書類名】明細書
【補正対象項目名】０００８
【補正方法】変更
【補正の内容】
【０００８】
請求項１においては、
天窓の開口側框の第１レールと、窓枠の開口側枠の第２レールとの間に差込み支持する第１支持輪と第２支持輪を備えたスプリングフレームであって、
第１支持輪と第２支持輪は、スプリングフレームの本体の両自由端に備え、
本体は、天窓を、窓枠に閉塞した際に、天窓外に突出したことを特徴とする天窓と窓枠に設ける防虫ネット又はフイルムでなる被覆物用のスプリングフレームがよい。
【手続補正５】
【補正対象書類名】明細書
【補正対象項目名】００１０
【補正方法】変更
【補正の内容】
【００１０】
請求項２においては、本体が、天窓外に突出した際に、本体は、天窓の開口側框の長手方向Ｘ１に向かって偏平形態になることを特徴とする、請求項１に記載の天窓と窓枠に設ける防虫ネット又はフイルムでなる被覆物用のスプリングフレームがよい。
【手続補正６】
【補正対象書類名】明細書
【補正対象項目名】００１２
【補正方法】変更
【補正の内容】
【００１２】
請求項３においては、天窓の開口側框の第１レールと、窓枠の開口側枠の第２レールとの間に差込み支持するスプリングフレームであって、
スプリングフレームの本体は、両自由端に第１支持輪と第２支持輪を備え、
第１支持輪は、第１レールに弾圧係止され、
また、第２支持輪は、第２レールに弾圧係止され、
第１支持輪を差込み支持する開口側框の第１箇所と、第２支持輪を差込み支持する開口側枠の第２箇所は、開口側框の長手方向Ｘ１、及び開口側枠の長手方向Ｘ２における位置が異なり、
スプリングフレームは、天窓を、窓枠に閉塞した際に、天窓外に突出することを特徴とする請求項１に記載の天窓と窓枠に設ける防虫ネット又はフイルムでなる被覆物用のスプリングフレームがよい。
【手続補正７】
【補正対象書類名】明細書
【補正対象項目名】００１４
【補正方法】変更
【補正の内容】
【００１４】
請求項４においては、第１支持輪を差込み支持する開口側框の第１箇所と、第２支持輪を差込み支持する開口側枠の第２箇所は、開口側框の長手方向Ｘ１と、開口側枠の長手方向Ｘ２における位置が異なる構成であって、
異なる構成により、本体は、天窓の閉塞時に、長手方向Ｘ３に偏平形態となることを特徴とする構成とした請求項１又は請求項３に記載の防虫ネット又はフイルムでなる被覆物用のスプリングフレームがよい。
【手続補正８】
【補正対象書類名】明細書
【補正対象項目名】００１６
【補正方法】変更
【補正の内容】
【００１６】
請求項５においては、第１支持輪は、偏平輪形であって、本体の長手方向Ｘ３に対し、直交し、かつ直交は、本体の下側を潜る構成としたことを特徴とする請求項１又は請求項３に記載の天窓と窓枠に設ける防虫ネット又はフイルムでなる被覆物用のスプリングフレームがよい。
【手続補正９】
【補正対象書類名】明細書
【補正対象項目名】００１８
【補正方法】変更
【補正の内容】
【００１８】
請求項６においては、第２支持輪は、偏平輪形であって、本体の長手方向Ｘ３に対し、直交し、かつ直交は、本体の上側を跨ぐ構成としたことを特徴とする請求項１又は請求項３に記載の天窓と窓枠に設ける防虫ネット又はフイルムでなる被覆物用のスプリングフレームがよい。